(57)【要約】【課題】災害発生時、災害地域のカメラ映像から視聴者が選択できるような受信機及びシステムを提供する。【解決手段】１個または複数の所定地域を撮影する１個または複数のカメラと、前記カメラで撮影した映像をデジタルのビデオデータに変換し、エンコードするエンコード手段と、緊急放送時に緊急警報であることを示す情報とエンコードされたカメラ映像の識別情報を含む番組情報を生成する番組情報生成手段と、前記エンコード手段より出力されたカメラ映像データと、前記番組情報を多重する多重手段と、前記多重手段で多重したデータを送信する送信手段を備えることを特徴とする【選択図】図１
2008294512.tif 000002
【特許請求の範囲】
【請求項１】
１個または複数の所定地域を撮影する１個または複数のカメラと、前記カメラで撮影した映像をデジタルのビデオデータに変換しエンコードするエンコード手段と、緊急放送時に緊急警報であることを示す情報とエンコードされたカメラ映像の識別情報を含む番組情報を生成する番組情報生成手段と、前記エンコード手段より出力されたカメラ映像データと、前記番組情報を多重する多重手段と、前記多重手段で多重したデータを送信する送信手段を備えることを特徴とするデジタルテレビ送信装置。
【請求項２】
カメラ映像をエンコードしたデータに、所定地域を識別する識別情報を多重することを特徴とする請求項１記載のデジタルテレビ送信装置。
【請求項３】
番組情報に、カメラ映像に対応した所定地域を識別する識別情報を含むことを特徴とする請求項１記載のデジタルテレビ送信装置。
【請求項４】
１個または複数の所定地域を撮影する１個または複数のカメラと、前記カメラで撮影した映像をデジタルのビデオデータに変換し、エンコードするエンコード手段と、カメラ映像の識別情報を含む第１の番組情報を生成する第１の番組情報生成手段と、前記エンコード手段より出力されたカメラ映像データと、前記番組情報を多重する多重手段と、前記多重手段で多重されたデータを送信する第１の送信手段と、緊急放送時に緊急警報であることを示す情報を含む第２の番組情報を生成する第２の番組情報生成手段と、前記第２の番組情報を送信する第２の送信手段を備えることを特徴とするデジタルテレビ送信装置。
【請求項５】
カメラ映像をエンコードしたデータに、所定地域を識別する識別情報を多重することを特徴とする請求項４記載のデジタルテレビ送信装置。
【請求項６】
第２の番組情報に、カメラ映像に対応した所定地域を識別する識別情報を含むことを特徴とする請求項４記載のデジタルテレビ送信装置。
【請求項７】
第１の送信手段が放送波またはＩＰネットワークを用いて送信することを特徴とする請求項４記載のデジタルテレビ送信装置。
【請求項８】
第２の送信手段が放送波またはＩＰネットワークを用いて送信することを特徴とする請求項４記載のデジタルテレビ送信装置。
【請求項９】
放送波を受信する受信手段と、前記受信手段で受信したデータから緊急放送であることを示す情報を検出する検出手段と、前記受信手段で受信したデータから、地域識別情報を抽出する地域識別情報抽出手段と、地域識別情報を設定する地域識別情報設定手段と、前記地域識別情報抽出手段で抽出した第１の地域識別情報と、前記地域識別情報設定部で設定した第２の地域識別情報とが一致した場合に画面上に、当該地域に関する情報を受信したことを示す画像を表示する画像表示手段を備えることを特徴とするデジタルテレビ受信装置。
【請求項１０】
受信した当該地域に関する情報が、該地域を撮影したカメラ映像であることを特徴とする請求項９記載のデジタルテレビ受信装置。
【請求項１１】
受信した当該地域に関する情報が、該地域の災害情報であることを特徴とする請求項９記載のデジタルテレビ受信装置。
【請求項１２】
災害情報が文字情報または静止画情報または動画情報またはそれらの組み合わせであることを特徴とする請求項１１記載のデジタルテレビ受信装置。
【請求項１３】
第１の送信手段から送信されたデータを受信する第１の受信手段と、第２の送信手段から送信された緊急放送であることを示す情報を含むデータを受信する第２の受信手段と、第２の受信手段で受信したデータから、第２の番組情報を抽出する第２の番組情報抽出手段と、抽出した第２の番組情報から、緊急警報であることを示す情報を検出する検出手段と、前記第１または第２の受信手段で受信したデータから地域識別情報を抽出する地域識別情報抽出手段と、地域識別情報を設定する地域識別情報設定手段と、前記地域識別情報抽出手段で抽出した第１の地域識別情報と、前記地域識別情報設定部で設定した第２の地域識別情報とが一致した場合に画面上に、当該地域に関する情報を受信したことを示す画像を表示する画像表示手段を備えることを特徴とするデジタルテレビ受信装置。
【請求項１４】
受信した当該地域に関する情報が、該地域を撮影したカメラ映像であることを特徴とする請求項１３記載のデジタルテレビ受信装置。
【請求項１５】
受信した当該地域に関する情報が、該地域の災害情報であることを特徴とする請求項１３記載のデジタルテレビ受信装置。
【請求項１６】
災害情報が文字情報または静止画情報または動画情報またはそれらの組み合わせであることを特徴とする請求項１３記載のデジタルテレビ受信装置。
【発明の詳細な説明】
【技術分野】
【０００１】
本発明は、緊急警報放送に対応するデジタルテレビ受信装置及びデジタルテレビ送信装置に関するものである。
【背景技術】
【０００２】
地震や津波などの自然災害が発生した場合、日本の放送では緊急警報放送がなされるが、デジタル放送で緊急警報放送を行う場合に、緊急情報記述子を使用することが定められている。緊急情報記述子の詳細は、電波産業会（ＡＲＩＢ）標準規格「ＡＲＩＢ  ＳＴＤ−Ｂ１０デジタル放送に使用する番組配列情報」を参照のこと。
【０００３】
また、災害発生時の放送局側での対応として、気象庁が提供する地域情報に基づき各地域に設置されているカメラから最適なカメラを選択して放送するという従来技術が開示されている（例えば、特許文献１を参照）。
【０００４】
特許文献１の図２において、放送局のカメラモニタ装置１０は、地域情報取得手段１１で取得した地域情報に基づいて、全国に設置されたカメラ１の中から放送の候補となるカメラを選択し、選択されたカメラ映像をマルチ映像手段１５により複数表示し、その中から放送用の映像を選択している。映像選択の基準としては、震度情報、震源地情報や市町村震度情報などを用いることが記載されている。
【０００５】
しかしながら、上記従来の構成では、災害地のカメラ映像を放送局側で選択して送出するので、受信機側で視聴者が関心のある地域の映像を個別に選択して視聴することができないという問題を有している。
【特許文献１】特開２００４−３４９７４９号公報
【発明の開示】
【発明が解決しようとする課題】
【０００６】
本発明は、上記問題点を解決するためになされたものであり、地震、津波等の災害発生時に視聴者が関心のある地域の映像を個別に選択して視聴することを可能にするシステムを提供することを目的とする。
【課題を解決するための手段】
【０００７】
上記課題を解決するために、本発明の請求項１にかかるデジタルテレビ送信装置は、１個または複数の所定地域を撮影する１個または複数のカメラと、前記カメラで撮影した映像をデジタルのビデオデータに変換し、エンコードするエンコード手段と、緊急放送時に緊急警報であることを示す情報とエンコードされたカメラ映像の識別情報を含む番組情報を生成する番組情報生成手段と、前記エンコード手段より出力されたカメラ映像データと、前記番組情報を多重する多重手段と、前記多重手段で多重したデータを送信する送信手段を備えることを特徴とする。
【０００８】
また、本発明の請求項４にかかるデジタルテレビ送信装置は、１個または複数の所定地域を撮影する１個または複数のカメラと、前記カメラで撮影した映像をデジタルのビデオデータに変換し、エンコードするエンコード手段と、カメラ映像の識別情報を含む第１の番組情報を生成する第１の番組情報生成手段と、前記エンコード手段より出力されたカメラ映像データと、前記番組情報を多重する多重手段と、前記多重手段で多重されたデータを送信する第１の送信手段と、緊急放送時に緊急警報であることを示す情報を含む第２の番組情報を生成する第２の番組情報生成手段と、前記第２の番組情報を送信する第２の送信手段を備えることを特徴とする。
【０００９】
また本発明の請求項９にかかるデジタルテレビ受信装置は、放送波を受信する受信手段と、前記受信手段で受信したデータから緊急放送であることを示す情報を検出する検出手段と、前記受信手段で受信したデータから、地域識別情報を抽出する地域識別情報抽出手段と、地域識別情報を設定する地域識別情報設定手段と、前記地域識別情報抽出手段で抽出した第１の地域識別情報と、前記地域識別情報設定部で設定した第２の地域識別情報とが一致した場合に画面上に、当該地域に関する情報を受信したことを示す画像を表示する画像表示手段を備えることを特徴とする。
【００１０】
また、本発明の請求項１３にかかるデジタルテレビ受信装置は、第１の送信手段から送信されたデータを受信する第１の受信手段と、第２の送信手段から送信された緊急放送であることを示す情報を含むデータを受信する第２の受信手段と、第２の受信手段で受信したデータから、第２の番組情報を抽出する第２の番組情報抽出手段と、抽出した第２の番組情報から、緊急警報であることを示す情報を検出する検出手段と、前記第１または第２の受信手段で受信したデータから地域識別情報を抽出する地域識別情報抽出手段と、地域識別情報を設定する地域識別情報設定手段と、前記地域識別情報抽出手段で抽出した第１の地域識別情報と、前記地域識別情報設定部で設定した第２の地域識別情報とが一致した場合に画面上に、当該地域に関する情報を受信したことを示す画像を表示する画像表示手段を備えることを特徴とする。
【発明の効果】
【００１１】
本発明は、地震、津波等の災害発生時に視聴者が関心のある地域の映像を個別に選択して視聴することを可能にするという効果を有する
【発明を実施するための最良の形態】
【００１２】
以下、本発明の実施の形態について、図を用いて説明する。なお、ここで示す実施の形態はあくまでも一例であって必ずしもこの実施の形態に限定されるものではない。
【００１３】
（実施の形態１）
図１に本発明の実施の形態１の送信装置の構成を示す。以下、図１に基づいて、その構成を説明する。１０１は緊急情報記述子生成部で、緊急情報記述子を生成するものである。緊急情報記述子のデータ構造を図２に示すが、その詳細については電波産業界（ＡＲＩＢ）標準規格「ＡＲＩＢ  ＳＴＤ−Ｂ１０  デジタル放送に使用する番組配列情報」を参照のこと。１０２はカメラＥＳ情報生成部で、カメラで撮影した映像を圧縮符号化したデータ（エレメンタリストリーム，以降ＥＳと略す）のパケットの識別子（ＰＩＤ）などの情報を生成するものである。１０３はＰＳＩ多重部で、緊急情報記述子や、カメラＥＳ情報をＮＩＴ（Ｎｅｔｗｏｒｋ  Ｉｎｆｏｒｍａｔｉｏｎ  Ｔａｂｌｅ）やＰＭＴ（Ｐｒｏｇｒａｍ  Ｍａｐ  Ｔａｂｌｅ）に多重する機能を有する。ＰＳＩはＰｒｏｇｒａｍ  Ｓｐｅｃｉｆｉｃ  Ｉｎｆｏｒｍａｔｉｏｎの略でデジタル放送の選局のためのパラメータを規定する情報である。詳細はＭＰＥＧ２システム規格（ＩＳＯ／ＩＥＣ１３８１８−１）を参照のこと。
【００１４】
１０４はＰＳＩ生成部で、前述の緊急情報記述子生成部、カメラＥＳ情報生成部、ＰＳＩ多重部を含むものである。
【００１５】
１０５は第１のカメラであり、災害地域の状況を撮影するものである。１０６は第２のカメラであり、第１のカメラと同様である。１０７は第３のカメラであり、第１のカメラと同様である。本実施の形態では、第１〜第３のカメラはそれぞれ別の地域にあるものと仮定する。また本実施の形態では、例としてカメラを３台として説明するが、台数は任意であり、制限を設けるものではない。
【００１６】
１０８は第１のビデオエンコード部で、第１のカメラで撮影した映像をビデオエンコードするものである。ビデオエンコード方式として、ＭＰＥＧ１，ＭＰＥＧ２，Ｈ．２６４などを使えばよいが、これらの方式に限るものではない。１０９は第２のビデオエンコード部で、第２のカメラ１０６に接続されるが、構成は第１のビデオエンコード部と同様である。１１０は第３のビデオエンコード部で、第３のカメラ１０７に接続されるが、第１のビデオエンコード部と同様である。
【００１７】
１１１はＴＳ多重部で、ＰＳＩ生成部１０４で多重されたＮＩＴやＰＭＴと、第１〜第３のビデオエンコード部で生成されたＥＳをＴＳ（トランスポートストリーム）に多重するものである。
【００１８】
ＴＳ多重部１１１の構成を図３に示す。図３において、２０１はＰＥＳパケット生成部で第１〜第３のビデオエンコード部でエンコードされたＥＳをＰＥＳパケット化するものである。ＰＥＳパケットの詳細については、ＭＰＥＧ２システム規格を参照のこと。
【００１９】
２０２は第１のａｒｅａ＿ｃｏｄｅ多重部で、ＰＥＳパケットにａｒｅａ＿ｃｏｄｅを多重するものである。ａｒｅａ＿ｃｏｄｅとは、郵政省告示昭６０第４０５号に規定されている１２ビット長の地域符号であって、関東や近畿といった広域符号と、都道府県別の県域符号があり、緊急情報記述子内にも存在する。詳細は上記ＡＲＩＢ規格書にも記載されている。
【００２０】
実施の形態１ではａｒｅａ＿ｃｏｄｅを図４に示すＰＥＳパケットに多重することが特徴である。ＰＥＳパケットへのａｒｅａ＿ｃｏｄｅの多重方法として図４に示すように、第一にＰＥＳヘッダのＰＥＳ＿ｐｒｉｖａｔｅ＿ｄａｔａという領域に多重する方法と、第二に、ＰＥＳパケットのＰＥＳ＿ｐａｃｋｅｔ＿ｄａｔａ＿ｂｙｔｅという領域に多重する方法がある。
【００２１】
２０３、２０４はそれぞれ第２のａｒｅａ＿ｃｏｄｅ多重部、第３のａｒｅａ＿ｃｏｄｅ多重部である。２０５はＴＳ生成部で、ＰＳＩとＰＥＳパケットを多重してＴＳにするものである。
【００２２】
１１２は送信部で、ＴＳ多重部１１１で多重されたＴＳに誤り訂正符号化を施し、さらに変調して送信するものである。変調方式は、衛星放送の場合ＱＰＳＫや８ＰＳＫ、地上波放送の場合には、ＯＦＤＭなどがあるが、伝送路によって、これら以外の変調方式を用いても構わない。
【００２３】
以上のように構成された実施の形態１の送信装置について、その動作をステップに分けて説明する。（Ｓ１）、（Ｓ２）、（Ｓ３）など、カッコ内にＳと数字で表した手順は、各ステップを意味する。
【００２４】
（Ｓ１）第１のカメラ〜第３のカメラが設置された地域で災害が発生したとする。仮に第１のカメラの設置された地域を地域Ａ、第２のカメラが設置された地域を地域Ｂ、第３のカメラが設置された地域を地域Ｃとする。
【００２５】
（Ｓ２）緊急情報記述子生成部１０１で、地域Ａ、Ｂ、Ｃそれぞれのａｒｅａ＿ｃｏｄｅを含む緊急情報記述子を生成し、ＰＳＩ多重部１０３でＰＭＴ，  ＮＩＴに多重する。このとき、緊急情報記述子に含まれるｓｔａｒｔ＿ｅｎｄ＿ｆｌａｇビットを１にして緊急警警報信号が開始したことを示す。
【００２６】
（Ｓ３）カメラＥＳ情報生成部１０２でカメラＥＳ情報を生成し、ＰＳＩ多重部１０３でＰＭＴに多重する。実施の形態１では、カメラＥＳのＰＩＤは共通とし、カメラＥＳを伝送するためのｓｅｒｖｉｃｅ＿ｉｄは、一般の放送番組のｓｅｒｖｉｃｅ＿ｉｄと同じ値でもよいし、ある特定の値を割り振ってもよい。ここで、カメラＥＳを伝送するｓｅｒｖｉｃｅ＿ｉｄをＭとする。
【００２７】
（Ｓ４）第１のカメラ１０５〜第３のカメラ１０７でそれぞれ、地域Ａ、Ｂ、Ｃの撮影を行う。
【００２８】
（Ｓ５）第１のビデオエンコード部１０８〜第３のビデオエンコード部１１０でそれぞれに接続されたカメラで撮影された映像のエンコードを行い、ＥＳを生成する。
【００２９】
（Ｓ６）ＴＳ多重部１１１でカメラの映像ＥＳとＰＳＩを多重して送信する。
【００３０】
次に、図５に本発明の実施の形態１におけるデジタルテレビの受信装置の構成を示す。以下、図５に基づいて、その構成を説明する。
【００３１】
３０１はアンテナで、電波を受信するものである。３０２はフロントエンド部で、受信した電波を復調、誤り訂正を行い、トランスポートストリームを再生するものである。３０３はＰＩＤフィルタ部で、トランスポートストリームから、指定されたＰＩＤを持つビデオパケットやオーディオパケット、ＰＳＩパケットなどを抽出するものである。３０４はＰＩＤ設定部で、抽出すべきパケットのＰＩＤをＰＩＤフィルタ３０３に対して設定するものである。
【００３２】
３０５はＰＳＩ解析部で、ＰＳＩを解析し、緊急情報記述子を抽出したり、後述するユーザインタフェース部より指定されたチャネル番号（ｓｅｒｖｉｃｅ＿ｉｄ）に基づき、ＰＳＩを解析し、一般の放送番組のビデオパケットやオーディオパケットのＰＩＤや災害時のカメラ映像ＥＳのＰＩＤを抽出したりするものである。
【００３３】
３０６はａｒｅａ＿ｃｏｄｅ設定部で、受信機ごとにａｒｅａ＿ｃｏｄｅを設定しておくものである。使い方としては、受信機が設置された地域のａｒｅａ＿ｃｏｄｅを設定しておいてもよいし、親戚、知人の居住地域など、受信機ユーザが関心のある地域のａｒｅａ＿ｃｏｄｅを設定しておいてもよい。ａｒｅａ＿ｃｏｄｅの設定手法の一例として、メニュー画面で地域や県域を選択して設定できるようにしておいてもよいし、郵便番号や、電話の市外局番などを入力して設定できるようにしておいてもよい。
【００３４】
３０７はａｒｅａ＿ｃｏｄｅフィルタ部で、ａｒｅａ＿ｃｏｄｅ設定部３０６で設定されたａｒｅａ＿ｃｏｄｅにを有するカメラ映像ＥＳ抽出するものある。３０８はユーザインタフェース部で、ユーザが受信機を操作するものでリモコンなどが含まれる。３０９は、ＡＶデコード部で、ビデオパケット、オーディオパケットをデコードするものである。３１０はパネル画像生成部で、テレビの画面に重畳するパネル画像を生成するものである。本発明では、パネル画像はユーザに災害発生を通知するものとする。３１１は合成部で、デコードされた映像とパネル画像を合成するものである。３１２は表示部で、映像を表示するもので、プラズマディプレイや液晶ディスプレイ、ＣＲＴディスプレイなどである。３１３は制御部で、受信機全体の制御を行うものであり、ＣＰＵを用いればよい。
【００３５】
ただし、以上の構成要素について、ハードウエアまたはソフトウエアの適切な方法で実現すればよく、実現方法を限定するものではない。
【００３６】
以上のように構成された実施の形態１の受信装置について、その動作を説明する。図６に画面動作の一例を示す。以下ステップに分けて説明する。
【００３７】
（Ｓ２１）地震などの災害が発生。
【００３８】
（Ｓ２２）「災害地映像」のパネル画像を表示部３１２にポップアップ表示。
【００３９】
（Ｓ２３）ユーザがＳ２２でポップアップした「災害地映像」をカーソルで選択。
【００４０】
（Ｓ２４）カメラの映像を表示部３１２に表示。
【００４１】
次に、上記画面動作を実現する受信機動作についてステップに分けて説明する。
【００４２】
（Ｓ３１）アンテナ３０１で電波を受信。
【００４３】
（Ｓ３２）フロントエンド部３０２で受信電波を復調。
【００４４】
（Ｓ３３）ＰＩＤフィルタ部３０３でＰＭＴ、ＮＩＴを抽出し、制御部３１３とＰＳＩ解析部３０５でＰＭＴ、ＮＩＴに格納された緊急情報記述子を抽出。
【００４５】
（Ｓ３４）Ｓ３３で緊急情報記述子を抽出し、記述子内のｓｔａｒｔ＿ｅｎｄ＿ｆｌａｇが１であることと記述子内のａｒｅａ＿ｃｏｄｅが、ユーザの設定したａｒｅａ＿ｃｏｄｅが一致したら、画面上に「災害地映像」パネルをパネル画像生成部３１０で生成し、合成部３１１で通常番組映像にパネルを合成して、表示部３１２で表示。
【００４６】
（Ｓ３５）ユーザが「災害地映像」を図示していないリモコンを用いてカーソルなどで選択。
【００４７】
（Ｓ３６）ユーザが「災害地映像」を選択したら、ＰＳＩ解析部３０５とＰＩＤフィルタ部３０３にて、図示していないＰＡＴ（Ｐｒｏｇｒａｍ  Ａｓｓｏｃｉａｔｉｏｎ  Ｔａｂｌｅ）を解析して、ｓｅｒｖｉｃｅ＿ｉｄ  ＝  Ｍと対応するＰＭＴ＿ＰＩＤを抽出する。このＰＭＴ＿ＰＩＤ値をＮとする。さらにＰＳＩ解析部３０５で、ＰＩＤ値がＮのＰＭＴを抽出する。
【００４８】
（Ｓ３７）ＰＳＩ解析部３０５で、ＰＩＤ＝ＮのＰＭＴ解析し、カメラのビデオＥＳのＰＩＤを抽出する。ここで、ビデオＥＳであること、ビデオの中でも符号化方式が何であるかは、ＰＭＴ内のｓｔｒｅａｍ＿ｔｙｐｅによって判別すればよい。
【００４９】
（Ｓ３８）ＰＩＤ設定部３０４は、Ｓ３７で抽出したカメラのビデオＥＳのＰＩＤ（ＥＳ＿ＰＩＤ）をＰＩＤフィルタ部３０３に設定する。
【００５０】
（Ｓ３９）ＰＩＤフィルタ部３０３は、ＴＳからＳ３７で設定したＰＩＤを持ったカメラのビデオのパケットを抽出し、ａｒｅａ＿ｃｏｄｅフィルタ部に転送する。
【００５１】
（Ｓ４０）ａｒｅａ＿ｃｏｄｅフィルタ部３０７はａｒｅａ＿ｃｏｄｅ設定部３０６より設定されたａｒｅａ＿ｃｏｄｅを有するＰＥＳパケットを抽出するが、具体的には図４に示した、ＰＥＳパケット内のａｒｅａ＿ｃｏｄｅとａｒｅａ＿ｃｏｄｅフィルタ部に設定されたａｒｅａ＿ｃｏｄｅが一致した場合にＰＥＳパケットを抽出する。さらに抽出したＰＥＳパケットをＡＶデコード部３０９に転送する。
【００５２】
（Ｓ４１）ＡＶデコード部３０９は転送されたカメラのビデオＰＥＳパケットをデコードする。
【００５３】
（Ｓ４２）表示部３１２はＡＶデコード部３０９でデコードしたカメラ映像を表示する。
【００５４】
補足すると、ＰＩＤフィルタ部３０３、ＰＩＤ設定部３０４、ＰＳＩ解析部３０５は具体的には、デジタルテレビ受信機では、ＴＳデコーダ、ＣＰＵのソフトウエアの組み合わせで実現するのが一般的ではあるが、構成方法としてこれに限定するものではなく、ハードウエア、ソフトウエア、ハードウエアとソフトウエアの組み合わせにより実現すればよい。
【００５５】
以上のように、実施の形態１によれば、送信装置として、緊急情報記述子生成部１０１と、カメラＥＳ情報生成部１０２と、ＰＳＩ多重部１０３からなるＰＳＩ生成部１０４と、異なる地域に設置されたカメラ１０５〜１０７と、カメラ１０５〜１０７で撮影した映像をエンコードするビデオエンコーダ１０８〜１１０と、ＴＳ多重部１１１と、ＴＳ多重部１１１に含まれるＰＥＳパケット生成部２０１と、ａｒｅａ＿ｃｏｄｅ多重部２０２〜２０４と、ＴＳ生成部２０５と、送信部１１２を備えることとし、一方受信装置として、アンテナ３０１と、フロントエンド部３０２と、ＰＩＤフィルタ部３０３と、ＰＩＤ設定部３０４と、ＰＳＩ解析部３０５と、ａｒｅａ＿ｃｏｄｅ設定部３０６と、ａｒｅａ＿ｃｏｄｅフィルタ部３０７と、ユーザインタフェース部３０８と、ＡＶデコード部３０９と、パネル画像生成部３１０と、合成部３１１と、表示部３１２と、制御部３１３とで構成し、地震などの災害発生時に、アンテナ３０１で電波を受信し、フロントエンド部３０２で受信電波を復調し、ＰＩＤフィルタ部３０３でＰＭＴ、ＮＩＴを抽出し、制御部３１３とＰＳＩ解析部３０５でＰＭＴ、ＮＩＴに格納された緊急情報記述子を抽出し、記述子内のｓｔａｒｔ＿ｅｎｄ＿ｆｌａｇが１であることと記述子内のａｒｅａ＿ｃｏｄｅが、ユーザの設定したａｒｅａ＿ｃｏｄｅが一致したら、画面上に「災害地映像」パネルをパネル画像生成部３１０で生成し、合成部３１１で通常番組映像にパネルを合成して、表示部３１２で表示し、ユーザが「災害地映像」をリモコンを用いてカーソル選択したら、ＰＳＩ解析部３０５にて、ＰＡＴを解析して、ｓｅｒｖｉｃｅ＿ｉｄ＝Ｍと対応するＰＭＴ＿ＰＩＤ＝Ｎを抽出し、さらにＰＳＩ解析部３０５で、ＰＩＤ値がＮのＰＭＴを抽出し、ＰＳＩ解析部３０５で、ＰＩＤ＝ＮのＰＭＴを解析し、カメラのビデオＥＳのＰＩＤを抽出し、ＰＩＤ設定部３０４は、抽出したカメラのビデオＥＳのＰＩＤをＰＩＤフィルタ部３０３に設定し、ＰＩＤフィルタ部３０３は、ＴＳから、設定したＰＩＤを持ったカメラのビデオのパケットを抽出し、ａｒｅａ＿ｃｏｄｅフィルタ部に転送し、ａｒｅａ＿ｃｏｄｅフィルタ部３０７はａｒｅａ＿ｃｏｄｅ設定部３０６より設定されたａｒｅａ＿ｃｏｄｅを有するＰＥＳパケットを抽出し、抽出したＰＥＳパケットをＡＶデコード部３０９に転送し、ＡＶデコード部３０９は転送されたカメラのビデオＰＥＳパケットをデコードし、ディスプレイ２１０はＡＶデコード部３０９でデコードしたカメラ映像を表示することで、ユーザが受信機で設定した地域の映像が災害発生と同時に見ることができる。
【００５６】
（実施の形態２）
次に実施の形態２について説明する。
【００５７】
実施の形態２では送信装置側でのａｒｅａ＿ｃｏｄｅの多重の仕方、受信装置側での抽出の仕方が異なる。実施の形態１と同じ構成、動作についてはその説明を省略する。
【００５８】
実施の形態２では、ａｒｅａ＿ｃｏｄｅとカメラ映像のＥＳ＿ＰＩＤの関連をＰＭＴなどのＰＳＩに格納することを特徴とする。
【００５９】
構成の説明に先立って、実施の形態２のポイントである、ａｒｅａ＿ｃｏｄｅとカメラ映像のＰＩＤ（Ｖ＿ＥＳ＿ＰＩＤ）とｐｒｏｇｒａｍ＿ｎｕｍｂｅｒの関係について説明する。図８、図９にａｒｅａ＿ｃｏｄｅとＶ＿ＥＳ＿ＰＩＤの関係を示す。
【００６０】
ここで、ｐｒｏｇｒａｍ＿ｎｕｍｂｅｒはｓｅｒｖｉｃｅ＿ｉｄと同義である。図８に示すように、Ｖ＿ＥＳ＿ＰＩＤとａｒｅａ＿ｃｏｄｅは１対１に対応付けてもよいし、図９に示すように、Ｖ＿ＥＳ＿ＰＩＤとａｒｅａ＿ｃｏｄｅをＮ対１（Ｎは２以上の自然数）に対応付けてもよい。
【００６１】
図７にＰＭＴの構造を示すが、図７の（ａ）で示されるｄｅｓｃｒｉｐｔｏｒ（記述子）領域に、ａｒｅａ＿ｃｏｄｅの情報を格納することで、図８に示す関係を実現することが可能であり、また、図７（ｂ）で示されるｄｅｓｃｒｉｐｔｏｒ領域にａｒｅａ＿ｃｏｄｅの情報を格納することで、図９に示す関係を実現することが可能である。ａｒｅａ＿ｃｏｄｅを格納する記述子の一例を図１０に示す。
【００６２】
次に、送信装置の構成について説明する。図１１に実施の形態２の送信装置の構成を示す。
【００６３】
４０１はａｒｅａ＿ｃｏｄｅ記述子生成部で、前述したａｒｅａ＿ｃｏｄｅを含む記述子を生成するものである。４０２はＰＳＩ多重部で、実施の形態２では、ａｒｅａ＿ｃｏｄｅ記述子も多重する。
【００６４】
４０４はＴＳ多重部で、ＰＳＩ生成部４０３で生成されたＰＭＴと第１〜第３のビデオエンコード部で生成されたＥＳをＴＳに多重するものである。
【００６５】
実施の形態２でのＴＳ多重部の構成を図１２に示すが、実施の形態１でＰＥＳパケットに多重していたａｒｅａ＿ｃｏｄｅを実施形態２ではＰＥＳパケットには多重せずに、前述のように、ＰＳＩに多重する。
【００６６】
以上のように構成された実施の形態２の送信装置について、その動作をステップに分けて説明する。Ｓ１、Ｓ２は実施の形態１と同一であるので説明を省略し、Ｓ２より後のステップを説明する。
【００６７】
（Ｓ５３）カメラＥＳ情報生成部１０２でカメラＥＳ情報を生成し、ＰＳＩ多重部４０２でＰＭＴに多重する。実施の形態２では、カメラＥＳのＰＩＤはカメラごとに異なる値とし、カメラＥＳを伝送するためのｓｅｒｉｃｅ＿ｉｄは、一般の放送番組のｓｅｒｖｉｃｅ＿ｉｄと同じ値でもよいし、ある特定の値を割り振ってもよい。カメラＥＳを伝送するｓｅｒｖｉｃｅ＿ｉｄをＫとする。
【００６８】
（Ｓ５４）第１のカメラ１０５〜第３のカメラ１０７でそれぞれ、地域Ａ、Ｂ、Ｃの撮影を行う。
【００６９】
（Ｓ５５）第１のビデオエンコード部１０８〜第３のビデオエンコード部１１０でそれぞれに接続されたカメラで撮影された映像のエンコードを行い、ＥＳを生成する。
【００７０】
（Ｓ５６）ＴＳ多重部４０４でカメラの映像ＥＳとＰＳＩを多重して送信する。
【００７１】
次に、図１３に本発明の実施の形態２におけるデジタルテレビの受信装置の構成を示す。以下、図１３に基づいて、その構成を説明するが、実施の形態１と同一のものには、同一の符号を付与し、その説明は省略する。
【００７２】
５０１は、ＰＳＩ解析部で、ａｒｅａ＿ｃｏｄｅ記述子を含んだＰＳＩを解析するものである。５０２は、ａｒｅａ＿ｃｏｄｅ設定部でＰＳＩ解析部にａｒｅａｄ＿ｃｏｄｅを供給する。ａｒｅａ＿ｃｏｄｅとして、受信機が設置された地域のａｒｅａ＿ｃｏｄｅを設定しておいてもよいし、親戚、知人の居住地域など受信機ユーザが関心のある地域のａｒｅａ＿ｃｏｄｅを設定しておいてもよい。
【００７３】
以上のように構成された、実施の形態２の受信装置について、その動作を説明する。画面動作例は実施の形態１の説明で用いた図５とする。以下ステップに分けて説明する。画面動作のステップは実施の形態１のＳ２１〜Ｓ２４と同一である。
【００７４】
次に、上記画面動作を実現する受信機動作についてステップに分けて説明する。以下、実施の形態１と同一のステップには、同一のステップ番号を付与している。
【００７５】
（Ｓ３１）アンテナ３０１で電波を受信。
【００７６】
（Ｓ３２）フロントエンド部３０２で受信電波を復調。
【００７７】
（Ｓ３３）ＰＩＤフィルタ部３０３でＰＭＴ、ＮＩＴを抽出し、制御部３１３でＰＭＴ、ＮＩＴに格納された緊急情報記述子を抽出。
【００７８】
（Ｓ３４）Ｓ３３で緊急情報記述子を抽出し、記述子内のｓｔａｒｔ＿ｅｎｄ＿ｆｌａｇが１であることと記述子内のａｒｅａ＿ｃｏｄｅが、ユーザの設定したａｒｅａ＿ｃｏｄｅが一致したら、画面上に「災害地映像」パネルをパネル画像生成部３１０で生成し、合成部３１１で通常番組映像にパネルを合成して、表示部３１２で表示する。
【００７９】
（Ｓ３５）ユーザが「災害地映像」を図示していないリモコンを用いてカーソル選択。
【００８０】
（Ｓ３０６）ユーザが「災害地映像」を選択したら、ＰＳＩ解析部５０１にて、図示していないＰＡＴ（Ｐｒｏｇｒａｍ  Ａｓｓｏｃｉａｔｉｏｎ  Ｔａｂｌｅ）を解析して、ｓｅｒｖｉｃｅ＿ｉｄ＝Ｍと対応するＰＭＴ＿ＰＩＤを抽出する。このＰＭＴ＿ＰＩＤ値をＮとする。さらにＰＳＩ解析部５０１で、ＰＩＤ値がＮのＰＭＴを抽出する。
【００８１】
（Ｓ３０７）ＰＳＩ解析部５０１で、ＰＩＤ＝ＮのＰＭＴ解析し、図１４に示すように、ａｒｅａ＿ｃｏｄｅ抽出・比較部６０３で、予め受信機で設定したａｒｅａ＿ｃｏｄｅと同一のａｒｅａ＿ｃｏｄｅが多重されているかをチェックする。
【００８２】
（Ｓ３０８）Ｓ３０７で予め設定されていたａｒｅａ＿ｃｏｄｅが多重されていたら、ＥＳ＿ＰＩＤ抽出部６０４で、ＰＭＴからカメラのビデオＥＳのＰＩＤを抽出する。
【００８３】
（Ｓ３０９）ＰＩＤ設定部３０４は、Ｓ３０８で抽出したカメラのビデオＥＳのＰＩＤをＰＩＤフィルタ部３０３に設定する。
【００８４】
（Ｓ３１０）ＰＩＤフィルタ部３０３は、ＴＳからＳ３０８で設定したＰＩＤを持ったカメラのビデオのＰＥＳパケットを抽出する。さらに抽出したＰＥＳパケットをＡＶデコード部３０９に転送する。
【００８５】
（Ｓ３１１）ＡＶデコード部３０９は転送されたカメラのビデオＰＥＳパケットをデコードする。
【００８６】
（Ｓ３１２）表示部３１２はＡＶデコード部３０９でデコードしたカメラ映像を表示する。
【００８７】
以上のように、実施の形態２によれば、送信装置として、実施の形態１に対して、ａｒｅａ＿ｃｏｄｅを示すａｒｅａ＿ｃｏｄｅ記述子をＰＭＴに多重し、該ＰＭＴを含めてＰＳＩを生成するＰＳＩ生成部４０３と、ＰＳＩ生成部４０３で生成されたＰＳＩをＴＳに多重するＴＳ多重部４０４を備えることとし、一方、受信装置として、実施の形態１に対して、ＰＳＩ解析部５０１でＰＭＴより、ａｒｅａ＿ｃｏｄｅ記述子を抽出し、該記述子に書かれたａｒｅａ＿ｃｏｄｅが、ａｒｅａ＿ｃｏｄｅ設定部５０２で設定したａｒｅａ＿ｃｏｄｅと一致すれば、ＰＭＴよりカメラのビデオＥＳのＰＩＤを抽出し、ＰＩＤ設定部３０４は、抽出したカメラのビデオＥＳのＰＩＤをＰＩＤフィルタ部３０３に設定し、ＰＩＤフィルタ部３０３は、ＴＳから、設定したＰＩＤを持ったカメラのビデオＰＥＳパケットを抽出し、抽出したＰＥＳパケットをＡＶデコード部３０９に転送し、ＡＶデコード部３０９は転送されたカメラのビデオＰＥＳパケットをデコードし、ディスプレイ２１０はＡＶデコード部３０９でデコードしたカメラ映像を表示することで、ユーザが受信機で設定した地域の映像が災害発生と同時に見ることができる。
【００８８】
なお、実施の形態２の説明では、ａｒｅａ＿ｃｏｄｅ記述子をＰＭＴの第２ループに多重したが、第１ループに多重して、受信機側で、ＰＭＴの第１ループからａｒｅａ＿ｃｏｄｅを抽出するようにしてもよい。
【００８９】
また、図１５のように、ａｒｅａ＿ｃｏｄｅに対して特定のビデオＥＳのＰＩＤを固定的に割り当て、受信機側で、設定したａｒｅａ＿ｃｏｄｅに対応したビデオＥＳを抽出して、デコードするようにしてもよい。
【００９０】
（実施の形態３）
次に実施の形態３について説明する。実施の形態３では、実施の形態２をベースとして、災害地のカメラ映像をＩＰネットワークで送信することを特徴とする。
【００９１】
図１６に本発明のデジタルテレビ受信機及びデジタルテレビシステムの実施の形態３の送信装置の構成を示す。以下、図１６に基づいて、その構成を説明する。実施の形態２と同様の構成のものには同一の符号を付し、その説明を省略する。
【００９２】
実施の形態１及び実施の形態２ではカメラ映像をエンコードしたものをＴＳに多重して送信したが、実施の形態３では、カメラＥＳをＴＳに多重し、更にＴＳをＩＰパケットに多重し、ＩＰネットワークで配信する。
【００９３】
図２３にＩＰパケットのフォーマットを示すが、カメラＥＳが多重されたＴＳは、図２３の「データ」の部分に多重すればよい。
【００９４】
１１０１はＰＳＩ生成部で、緊急情報記述子生成部１０１、ＰＳＩ多重部１０３を含むものである。１１０２は、ＴＳ多重部で、緊急情報記述子が多重されたＮＩＴやＰＭＴをＴＳに多重するものである。
【００９５】
１１０３はサーバ部で、ビデオエンコード部１０８〜１１０でエンコードされたカメラＥＳをＴＳに多重しＩＰパケット化して配信するものである。
【００９６】
サーバ部１１０３の内部構成の一例を図１７に示す。図１７において、１２０１はＩＰパケット生成部で、カメラＥＳをＴＳに多重し、ＩＰパケット化するものである。さらにＩＰパケット生成部は実施の形態２と同様なカメラＥＳ情報生成部を含み、カメラＥＳ情報もＴＳに多重する。１１０４はＩＰネットワークで、ＩＰパケットを配信するものである。
【００９７】
実施の形態３でも、ビデオエンコード方式として、ＭＰＥＧ１、ＭＰＥＧ２、Ｈ．２６４などを使えばよいが、これらの方式に限るものではない。また映像フォーマットも限定するものではない。
【００９８】
以上のように構成された実施の形態３の送信装置について、その動作をステップに分けて説明する。
【００９９】
（Ｓ４０１）災害が発生。
【０１００】
（Ｓ４０２）緊急情報記述子を生成し、ＰＳＩ多重部１０３でＰＭＴに多重。
【０１０１】
（Ｓ４０３）第１のカメラ１０５〜第３のカメラ１０７で災害地の複数の地点の撮影を行う。
【０１０２】
（Ｓ４０４）第１のビデオエンコード部１０７〜第３のビデオエンコード部１０９でそれぞれに接続されたカメラで撮影された映像のエンコードを行い、ＥＳを生成する。
【０１０３】
（Ｓ４０６）ＩＰパケット生成部１２０１でカメラの映像ＥＳと、カメラ映像を選択するためのＰＳＩを多重して送信する。
【０１０４】
次に、図１９に本発明の実施の形態３の受信装置の構成を示す。以下、図１９に基づいて、その構成を説明する。実施の形態２と同一の構成のものには同一の符号を付し、その説明を省略する。
【０１０５】
７０１はＩＰパケット抽出部で、ＩＰネットワークで配信されたＩＰパケットからカメラＥＳを含むＴＳを抽出するものである。
【０１０６】
以上のように構成された実施の形態３の受信装置について、その動作を説明する。画面動作の例は図３と同様である。この画面動作を実現する受信機動作についてステップに分けて説明する。Ｓ３１〜Ｓ３５は実施の形態２と同様である。
【０１０７】
（Ｓ３１）アンテナ３０１で電波を受信。
【０１０８】
（Ｓ３２）フロントエンド部３０２で受信電波を復調。
【０１０９】
（Ｓ３３）ＰＩＤフィルタ部３０３でＰＭＴ、ＮＩＴを抽出し、制御部３１３でＰＭＴ、ＮＩＴに格納された緊急情報記述子を抽出。
【０１１０】
（Ｓ３４）Ｓ３３で緊急情報記述子を抽出し、記述子内のｓｔａｒｔ＿ｅｎｄ＿ｆｌａｇが１であることと記述子内のａｒｅａ＿ｃｏｄｅが、ユーザの設定したａｒｅａ＿ｃｏｄｅが一致したら、画面上に「災害地映像」パネルをパネル画像生成部３１０で生成し、合成部３１１で通常番組映像にパネルを合成して、表示部３１２で表示する。
【０１１１】
（Ｓ３５）ユーザが「災害地映像」を図示していないリモコンを用いてカーソル選択。
【０１１２】
（Ｓ４０６）ユーザが「災害地映像」を選択したら、ＰＳＩ解析部５０１にて、ＩＰパケット抽出部７０１で抽出したＴＳにおいて、ＰＡＴ（Ｐｒｏｇｒａｍ  Ａｓｓｏｃｉａｔｉｏｎ  Ｔａｂｌｅ）を解析して、ｓｅｒｖｉｃｅ＿ｉｄ  ＝  Ｍと対応するＰＭＴ＿ＰＩＤを抽出する。このＰＭＴ＿ＰＩＤ値をＮとする。さらにＰＳＩ解析部５０１で、ＩＰパケット抽出部７０１で抽出したＴＳにおいて、ＰＩＤ値がＮのＰＭＴを抽出する。
【０１１３】
以降の処理Ｓ３０７〜Ｓ３１２は実施の形態２と同様である。
【０１１４】
以上のように、実施の形態３によれば、送信装置として、実施の形態２に対して、カメラＥＳとカメラＥＳ情報をＴＳに多重したものをＩＰパケット生成部１２０１でＩＰパケット化し、ＩＰネットワーク１１０４に配信することとし、一方、受信装置としてＩＰパケットを受信して、ＴＳを抽出し、ＰＳＩを解析部５０１でＰＭＴよりａｒｅａ＿ｃｏｄｅを抽出した後は実施の形態２と同様な処理を行うことで、ユーザが受信機で設定した地域の映像が災害発生と同時に見ることができる。
【０１１５】
なお、実施の形態１〜実施の形態３では、カメラの台数を３台としたが、勿論３台に制限されるものではないし、同一県域で複数台あっても構わない。
【０１１６】
また、災害発生時に表示される「災害映像」のパネルを１個としたが、ユーザが設定したａｒｅａ＿ｃｏｄｅに対して、複数の映像があるときや、ユーザが複数のａｒｅａ＿ｃｏｄｅを設定したときなどに候補となる災害地映像が複数ある場合、図２０に示すように、「災害地映像１」、「災害地映像２」、「災害地映像３」というように複数の映像候補を表示してもよいし、パネルに表示する文字として「災害地映像」に限るものではない。
【０１１７】
また、「災害地映像」を選択したときに映像を図２１に示すように子画面表示するようにしてもよい。
【０１１８】
また、災害地映像が複数ある場合には、図示はしないが、同時に複数映像を表示（マルチ画面表示）しても構わない。
【０１１９】
また、緊急情報記述子に含まれるａｒｅａ＿ｃｏｄｅが自地域、自地域周辺地域、登録地域、他地域で災害発生を知らせるパネルの色を変えてもよい。
【０１２０】
また、緊急情報記述子のｓｉｇｎａｌ＿ｌｅｖｅｌを受信側で識別してて、地震／津波を区別して「地震発生」、「津波発生」などとパネル表示しても構わない。
【０１２１】
また、災害情報として、文字情報や静止画を用いても構わない。この場合、カメラ映像ＥＳの代わりにデータ放送として送信装置より送出し、受信側で、データ放送画面として表示するようにすればよい。
【産業上の利用可能性】
【０１２２】
本発明にかかるデジタルテレビ受信装置及びデジタルテレビ送信装置は、災害発生時、災害地域のカメラ映像から視聴者が選択できるという有用性がある。
【図面の簡単な説明】
【０１２３】
【図１】本発明の実施の形態１におけるデジタルテレビ送信装置の構成を示す図
【図２】緊急情報記述子のデータ構造を示す図
【図３】本発明の実施の形態１のＴＳ多重部の構成を示す図
【図４】本発明の実施の形態１におけるａｒｅａ＿ｃｏｄｅの多重方法を示す図
【図５】本発明の実施の形態１におけるデジタルテレビ受信装置の構成を示す図
【図６】本発明の実施の形態１における受信装置の画面の動作例を示す図
【図７】ＰＭＴ（Ｐｒｏｇｒａｍ  Ｍａｐ  Ｔａｂｌｅ）のデータ構造を示す図
【図８】本発明の実施の形態２におけるｐｒｏｇｒａｍ＿ｎｕｍｂｅｒとカメラＥＳのＰＩＤとａｒｅａ＿ｃｏｄｅの第一の対応を示す図
【図９】本発明の実施の形態２におけるｐｒｏｇｒａｍ＿ｎｕｍｂｅｒとカメラＥＳのＰＩＤとａｒｅａ＿ｃｏｄｅの第二の対応を示す図
【図１０】本発明の実施の形態２におけるａｒｅａ＿ｃｏｄｅ記述子のデータ構造の一例を示す図
【図１１】本発明の実施の形態２におけるデジタルテレビ送信装置の構成を示す図
【図１２】本発明の実施の形態２におけるＴＳ多重部の構成を示す図
【図１３】本発明の実施の形態２におけるデジタルテレビ受信装置の構成を示す図
【図１４】本発明の実施の形態２におけるＰＳＩ解析部の構成を示す図
【図１５】本発明の実施の形態２におけるカメラＥＳのＰＩＤとａｒｅａ＿ｃｏｄｅの対応の別例を示す図
【図１６】本発明の実施の形態３におけるデジタルテレビ送信装置の構成を示す図
【図１７】本発明の実施の形態３におけるサーバ部の構成を示す図
【図１８】ＩＰパケットのデータフォーマットを示す図
【図１９】本発明の実施の形態３におけるデジタルテレビ受信装置の構成を示す図
【図２０】本発明における災害発生時の受信装置の画面表示の別例を示す図
【図２１】本発明における受信装置における災害映像表示の別例を示す図
【符号の説明】
【０１２４】
１０１    緊急情報記述子生成部
１０２    カメラＥＳ情報生成部
１０３    ＰＳＩ多重部
１０４    ＰＳＩ生成部
１０５    第１のカメラ
１０６    第２のカメラ
１０７    第３のカメラ
１０８    第１のビデオエンコード部
１０９    第２のビデオエンコード部
１１０    第３のビデオエンコード部
１１１    ＴＳ多重部
１１２    送信部
２０１    ＰＥＳパケット生成部
２０２    第１のａｒｅａ＿ｃｏｄｅ多重部
２０３    第２のａｒｅａ＿ｃｏｄｅ多重部
２０４    第３のａｒｅａ＿ｃｏｄｅ多重部
２０５    ＴＳ生成部
３０１    アンテナ部
３０２    フロントエンド部
３０３    ＰＩＤフィルタ部
３０４    ＰＩＤ設定部
３０５    ＰＳＩ解析部
３０６    ａｒｅａ＿ｃｏｄｅ設定部
３０７    ａｒｅａ＿ｃｏｄｅフィルタ部
３０８    ユーザインタフェース部
３０９    ＡＶデコード部
３１０    パネル画像生成部
３１１    合成部
３１２    表示部
４０１    ａｒｅａ＿ｃｏｄｅ記述子生成部
４０２    ＰＳＩ多重部
４０３    ＰＳＩ生成部
４０４    ＴＳ多重部
４０５    ＰＥＳパケット生成部
５０１    ＰＳＩ解析部
５０２    ａｒｅａ＿ｃｏｄｅ設定部
６０１    ＰＡＴ取得部
６０２    ＰＭＴ取得部
６０３    ａｒｅａ＿ｃｏｄｅ抽出・比較部
６０４    ＥＳ＿ＰＩＤ抽出部
７０１    ＩＰパケット抽出部
１１０１    ＰＳＩ生成部
１１０２    ＴＳ多重部
１１０３    サーバ部
１１０４    ＩＰネットワーク
１２０１    ＩＰパケット生成部
【図１】
2008294512.tif 000003
【図２】
2008294512.tif 000004
【図３】
2008294512.tif 000005
【図４】
2008294512.tif 000006
【図５】
2008294512.tif 000007
【図６】
2008294512.tif 000008
【図７】
2008294512.tif 000009
【図８】
2008294512.tif 000010
【図９】
2008294512.tif 000011
【図１０】
2008294512.tif 000012
【図１１】
2008294512.tif 000013
【図１２】
2008294512.tif 000014
【図１３】
2008294512.tif 000015
【図１４】
2008294512.tif 000016
【図１５】
2008294512.tif 000017
【図１６】
2008294512.tif 000018
【図１７】
2008294512.tif 000019
【図１８】
2008294512.tif 000020
【図１９】
2008294512.tif 000021
【図２０】
2008294512.tif 000022
【図２１】
2008294512.tif 000023